(57)【要約】【課題】建物の室内や自動車の車室内で使用する足温装置として好適なクッションを提供する。【解決手段】二方向伸縮性生地からなる袋体２と、この袋体２に封入された発泡樹脂ビーズ３とを備えるクッション１であって、このクッション１は、袋体２に発泡樹脂ビーズ３を５０〜１００％の充填率、好ましくは７０〜１００％の充填率で封入した構成とする。クッション１の頂部２ｃからつま先を差し込むと、当該クッション１は、袋体２の自在な二方向伸縮性と、発泡樹脂ビーズ３の自在な移動性との協働で、足のくるぶし辺りまでの部位を優れたフィット性で包み込んだ形態に変形して足に装着される。その結果、発泡樹脂ビーズ３の優れた断熱作用により、前記くるぶし辺りまでの部位の外気による冷えを防止し、かつ、当該部位からの熱放散を確実に遮断して有効に保温する。【選択図】図１
0003212201.tif 000002
【実用新案登録請求の範囲】
【請求項１】
二方向伸縮性生地からなる袋体と、この袋体に封入された発泡樹脂ビーズと、を備えるクッションであって、前記袋体に前記発泡樹脂ビーズが５０〜１００％の充填率で封入されていることを特徴とするクッション。
【請求項２】
請求項１に記載したクッションにおいて、
前記袋体は、頂部および底部をそれぞれ閉塞した中空円柱、中空三角柱および中空四角柱以上の中空多角柱のいずれかで構成されているクッション。
【請求項３】
請求項２に記載したクッションにおいて、
前記袋体は、足のサイズに応じて設定した投影平面上の面積を備えるものからなるクッション。
【請求項４】
請求項１乃至請求項３のいずれか１項に記載したクッションにおいて、
前記袋体の高さは、６０ｍｍ〜４６０ｍｍの範囲に設定されているクッション。
【考案の詳細な説明】
【技術分野】
【０００１】
本考案はクッションに係り、さらに詳しくは、足温装置として好適なクッションに関する。
【背景技術】
【０００２】
従来、二方向伸縮性生地からなる袋体と、この袋体に封入された発泡樹脂ビーズと、からなるクッションは周知である。この種従来のクッションは、袋体に発泡樹脂ビーズが１２０〜１４０％の充填率で封入されており、足置き、背あて、腰あて、枕あるいはスツールなどとして多用される。
【０００３】
前記従来のクッションは、足、背部、腰部、頭部あるいは臀部などの各身体部位が外圧として袋体に負荷されると、袋体の自在な二方向伸縮性と、発泡樹脂ビーズの自在な移動性との協働で、袋体は各身体部位にフィットして安定支持するように変形する。
【０００４】
ところで、建物の室内や自動車の車室内が、冬季には暖房されかつ夏期には冷房されていても、建物の室内で机にむかって着座したり、或いは自動車での移動時に車室内で助手席や後部座席に着座していると、足元が冷えで苦痛を伴う。そこで、発泡樹脂ビーズの優れた断熱作用に着目して、前記従来のクッションを足温装置として使用することが考えられる。ところが、従来のクッションは、その袋体に１２０〜１４０％の充填率で発泡樹脂ビーズが封入されているので、袋体に足を差し込んで包み込むことができない。よって、足温装置として使用することはできない。
【先行技術文献】
【特許文献】
【０００５】
【特許文献１】特になし
【考案の概要】
【考案が解決しようとする課題】
【０００６】
本考案は、上記の実情に鑑みてなされたもので、建物の室内や自動車の車室内で使用する足温装置として好適なクッションの提供を目的とするものである。
【課題を解決するための手段】
【０００７】
本考案者は、この種のクッションについて鋭意検討したところ、発泡樹脂ビーズの充填率を所定の範囲に設定すれば、両足を揃えてつま先を差し込むと、くるぶし辺りまで容易に沈み込み、当該くるぶし辺りまでの部位を優れたフィット性で包み込むことを見出だし、本考案を完成するに至った。
【０００８】
即ち、本考案のクッションは、二方向伸縮性生地からなる袋体と、この袋体に封入された発泡樹脂ビーズと、を備えるクッションであって、前記袋体に前記発泡樹脂ビーズが５０〜１００％の充填率で封入されていることを特徴とするものである。
【０００９】
前記構成のクッションによれば、発泡樹脂ビーズが５０〜１００％の充填率で袋体に封入されているので、袋体を立てて置き、両足を揃えて袋体の頂部からつま先を差し込むと、両足はくるぶし辺りまで容易に袋体に沈み込む。これにより、クッションは、袋体の自在な二方向伸縮性と、発泡樹脂ビーズの自在な移動性との協働で、両足のくるぶし辺りまでの部位を優れたフィット性で包み込んだ形態に変形して、抜脱を防止した状態で両足に装着される。その結果、発泡樹脂ビーズの優れた断熱作用により、前記包み込まれた部位の外気による冷えを防止し、かつ、当該包み込まれた部位からの熱放散を遮断して有効に保温することができるので、足温装置として、建物の室内や自動車の車室内における助手席や後部座席での使用が可能となる。なお、発泡樹脂ビーズの充填率は、後述するように、より好ましくは７０〜１００％である。
【００１０】
本考案に係るクッションの袋体は、頂部および底部をそれぞれ閉塞した中空円柱、中空三角柱および中空四角柱以上の中空多角柱のいずれかで構成されている。これによれば、足温装置として、建物の室内や自動車の車室内における助手席や後部座席での使用が可能であるばかりか、ユーザの多様な形状のニーズに対応することができる。なお、袋体は中空正円柱、中空正三角柱および中空正四角柱以上の中空正多角柱で構成されていることがより好ましい。
【００１１】
前記袋体は、足のサイズに応じて設定した投影平面上の面積を備えるものからなる。これによれば、例えば袋体が中空円筒状のものであれば、足のサイズに応じた直径の中空円柱からなる袋体でバランスよく両足を包み込むことが可能となる。また、例えば袋体が中空三角柱や中空四角柱以上の中空多角柱のものであれば、足のサイズに応じた投影平面上の面積の中空三角柱からなる袋体および中空四角柱以上の中空多角柱からなる袋体でバランスよく両足を包み込むことが可能となる。
【００１２】
本考案に係るクッションは、前記袋体の高さが６０ｍｍ〜４６０ｍｍの範囲に設定されている。これによると、両足をくるぶし辺りまで優れたフィット性で包み込んだ形態に変形して両足からの抜脱を防止できる。これにより、優れた足温効果を発揮することが可能となる。しかも、両足の差し込みに同期してなされる足を上げる動作がスムーズとなるので、両足へのクッションの装着が容易となる。なお、袋体の高さが６０ｍｍ未満であると、包み込まれる部位がつま先辺りに制限されるので足温効果が低い。高さが４６０ｍｍを超えると、両足の差し込みおよびこの差し込みに同期してなされる足を上げる動作が窮屈となり、両足へのクッションの装着が困難となる。
【考案の効果】
【００１３】
本考案のクッションによれば、発泡樹脂ビーズが５０〜１００％の充填率で袋体に封入されていることにより、クッションは、袋体の自在な二方向伸縮性と、発泡樹脂ビーズの自在な移動性との協働で、両足のくるぶし辺りまでの部位を優れたフィット性で包み込んだ形態に変形して、抜脱を防止した状態で両足に装着される。その結果、発泡樹脂ビーズの優れた断熱作用により、くるぶし辺りまでの部位の外気による冷えを防止するとともに、当該部位からの熱放散を確実に遮断して有効に保温することができるので、足温装置として、建物の室内や自動車の車室内における助手席や後部座席での使用が可能となる。
【図面の簡単な説明】
【００１４】
【図１】本考案に係るクッションの一実施形態を正面から見た斜視図である。
【図２】図１の縦断正面図である。
【図３】図１のIII−III線に沿う拡大断面図である。
【図４】図１のIV−IV線に沿う拡大断面で示すビーズ封入口の説明図である。
【図５】袋体内への発泡樹脂ビーズ封入手順の一例を示す説明図であり、（ａ）はビーズ供給ノズルをビーズ封入口に挿通した状態の拡大横断面図、（ｂ）は発泡樹脂ビーズ封入完了後にビーズ封入口を縫合封止した状態の拡大横断面図である。
【図６】図１、図２で説明した実施形態のクッションで両足を包み込む手順を示す説明正面図であり、（ａ）は第１手順の説明正面図、（ｂ）は第２手順の説明正面図、（ｃ）は第３手順の説明正面図、（ｄ）は第４手順の説明正面図、（ｅ）は最終手順の説明正面図である。
【図７】図１、図２で説明した実施形態のクッションで両足を包み込む手順を示す縦断側面図であり、（ａ）は第１手順の説明縦断側面図、（ｂ）は第２手順の説明縦断側面図、（ｃ）は第３手順の説明縦断側面図（ｄ）は第４手順の説明縦断側面図、（ｅ）は最終手順の説明縦断側面図である。
【図８】袋体の変形例を示す斜視図であり、（ａ）は中空三角柱で構成した袋体の斜視図、（ｂ）は中空四角柱で構成した袋体の斜視図、（ｃ）は中空五角柱で構成した袋体の斜視図、（ｄ）は中空六角柱で構成した袋体の斜視図である。
【考案を実施するための最良の形態】
【００１５】
以下、本考案に係るクッションの好ましい実施例を図面に基づいて説明する。図１は本考案に係るクッションの一実施形態を正面から見た斜視図、図２は図１の縦断正面図、図３は図１のIII-III線に沿う拡大断面図、図４は図１のIV-IV線に沿う拡大断面で示す発泡樹脂ビーズ封入口の説明図、図５は袋体内への発泡樹脂ビーズ封入手順の一例を示す説明図であり、（ａ）は発泡樹脂ビーズ供給ノズルをビーズ封入口に挿通した状態の拡大横断面図、（ｂ）は発泡樹脂ビーズ封入完了後にビーズ封入口を縫合封止した状態の拡大横断面図である。
【００１６】
図１および図２において、クッション１は、袋体２と、この袋体２に封入された発泡樹脂ビーズ３と、を備える。
【００１７】
袋体２は、８１重量％のナイロン糸と、１９重量％のポリウレタン糸とで構成された二方向伸縮性を有する厚みの薄い（１ｍｍ以下）合成繊維生地からなり、この袋体２に、粒径が約１ｍｍの発泡ポリスチレン樹脂からなる発泡樹脂ビーズ３が９０％の充填率で封入されている。
【００１８】
本実施形態のクッション１における袋体２は中空円柱２Ａで構成され、その直径Ｄが１８０ｍｍ、高さＨが３２０ｍｍに設定されおり、鉛直方向全域にのびる縫合継ぎ目２ａを有する円筒状周壁２ｂと、円形の頂部２ｃおよび円形の底部２ｄとを備え、円筒状周壁２ｂの上端開口縁部に頂部２ｃの周縁部を縫着して、当該頂部２ｃにより円筒状周壁２ｂの上端開口を閉塞するとともに、円筒状周壁２ｂの下端開口縁部に底部２ｄの周縁部を縫着して、当該底部２ｄにより円筒状周壁２ｂの下端開口を閉塞してある。
【００１９】
図１、図４に示すように、縫合継ぎ目２ａの上端部近傍にビーズ封入口４を設けてある。このビーズ封入口４は、発泡樹脂ビーズ３の封入後に、その先端部開口を縫合封止４ａして円筒状周壁２ｂの内部に押し込まれた図４の状態で安定している。袋体２内部への発泡樹脂ビーズ３の封入は、図５（ａ）に示すように、ビーズ封入口４は、先端部開口を開放した状態で円筒状周壁２ｂの外部に引っ張り出し、ここにビーズ供給ノズル５を挿通して所定量（本実施形態では、９０％の充填率が確保できる量）の発泡樹脂ビーズ３を袋体２内に供給する。ついでビーズ供給ノズル５を抜き取り、図５（ｂ）に示すように、ビーズ封入口４の先端部開口を縫合封止４ａする手順によりなされる。しかるのち、ビーズ封入口４は図４に示すように、円筒状周壁２ｂの内部に押し込まれる。
【００２０】
前記構成のクッション１によれば、発泡樹脂ビーズ３が９０％の充填率で中空円柱からなる袋体２に封入されているので、図６（ａ）〜（ｅ）および図７（ａ）〜（ｅ）に示す手順により、両足を包み込んで足温装置として使用することが可能となる。
【００２１】
図６は図１、図２で説明した実施形態のクッションで両足を包み込む手順を示す説明正面図であり、（ａ）は第１手順の説明正面図、（ｂ）は第２手順の説明正面図、（ｃ）は第３手順の説明正面図、（ｄ）は第４手順の説明正面図、（ｅ）は最終手順の説明正面図である。また、図７は図１、図２で説明した実施形態のクッションで両足を包み込む手順を示す縦断側面図であり、（ａ）は第１手順の説明縦断側面図、（ｂ）は第２手順の説明縦断側面図、（ｃ）は第３手順の説明縦断側面（ｄ）は第４手順の説明縦断側面図、（ｅ）は最終手順の説明縦断側面図である。
【００２２】
図６（ａ）〜（ｅ）および図７（ａ）〜（ｅ）において、
１；履物を脱いで椅子など（共に図示省略）に着座し、両足（以下、足という）６の前側に袋体２を鉛直姿勢で立てる［図６（ａ）、図７（ａ）参照］。
２；足６を揃えて前半分辺りまでを袋体２の頂部２ｃにのせる［図６（ｂ）、図７（ｂ）参照］。
３；つま先６ａで袋体２の頂部２ｃを押し下げながら袋体２に差し込む［図６（ｃ）、図７（ｃ）参照］。これに伴って、袋体２の頂部２ｃは下向きに押し込まれ、円筒状周壁２ｂはその上端部から内向き、かつ、下向きに漸次方向転換される。
４；足６をさらに深く差し込むと、そのくるぶし６ｂ辺りまでの部位が袋体２に沈み込むとともに、円筒状周壁２ｂの前記方向転換が進行する。よって、袋体２は、高さが幾分小さくなり、円筒状周壁２ｂは、径外方向に膨らんだ外層壁２ｂ１と内層壁２ｂ２とが備わり、かつ、外層壁２ｂ１と内層壁２ｂ２との間に発泡樹脂ビーズ３が偏在状態で充満したいびつな形（投影正面はいびつな壺形、投影側面はいびつな繭形）に変形する［図６（ｄ）、図７（ｄ）参照］。
５；内層壁２ｂ２を手先で整える。そうすると、発泡樹脂ビーズ３は偏在が是正された状態で充満した形（投影正面は略壺形、投影側面は略繭形）となる［図６（ｅ）、図７（ｅ）参照］。
【００２３】
その結果、クッション１は、袋体２の自在な二方向伸縮性と、発泡樹脂ビーズ３の自在な移動性との協働で、足６のくるぶし６ｂ辺りまでの部位を優れたフィット性で包み込んだ形態に変形して、抜脱を防止した状態で足６に装着される。よって、足６を持ち上げても、外層壁２ｂ１によるくるぶし６ｂ辺りまでの部位のフィット性が損なわれたり、ひいてはクッション１が足６から外れることはない。したがって、発泡樹脂ビーズ３の優れた断熱作用により、外気によるくるぶし６ｂ辺りまでの部位の冷えを防止するとともに、当該部位からの熱放散を確実に遮断して有効に保温することができる。そのため、足温装置として、建物の室内や自動車の車室内における助手席や後部座席での使用が可能となる。
【００２４】
（テスト例）
前記実施形態で説明した袋体２に発泡樹脂ビーズ３が、１２０％、１１０％、１００％、９０％、８０％、７０％、６０％、５０％、４０％それぞれの充填率で封入されているクッション１について、足６のくるぶし６ｂ辺りまでの部位へのフィット性をテストした。そのテスト結果を次表１に示す。
【００２５】
表１
┌─────┬───┬───┬───┬──┬──┬──┬──┬──┬──┐
│充填率％  │１２０│１１０│１００│９０│８０│７０│６０│５０│４０│
├─────┼───┼───┼───┼──┼──┼──┼──┼──┼──┤
│フィット性│  ▲  │ △   │  ◎  │ ◎ │ ◎ │ ◎ │ ○ │ ○ │ × │
└─────┴───┴───┴───┴──┴──┴──┴──┴──┴──┘
表１において
記号◎は、最良のフィット性で足をしっかりと包み込み、足をあげてもかかとが抜けないことを表す。
記号○は、良好なフィット性で足を包み込み、足をあげてもかかとが抜けないことを表す。
記号△は、並みレベルのフィット性で足を包み込むが、足をあげるとかかとが抜けることを表す。
記号▲は、足の差し込みがきわめて困難で、足をあげるとかかとが抜けることを表す。
記号×は、フィット性が確保されないことを表す。
表１から、発泡樹脂ビーズ３の充填率は、５０〜１００％の範囲内、好ましくは７０〜１００％の範囲内であることが確認された。
【００２６】
図８は袋体の変形例を示す斜視図で、（ａ）は中空三角柱で構成した袋体の斜視図、（ｂ）は中空四角柱で構成した袋体の斜視図、（ｃ）は中空五角柱で構成した袋体の斜視図、（ｄ）は中空六角柱で構成した袋体の斜視図である。なお、図１の中空円柱で構成されている袋体２と同一部分に同一符号を付して、重複する説明は省略もしくは簡略にする。
【００２７】
本考案に係るクッション１の袋体２は、前記実施形態で説明した中空円柱２Ａ、図８（ａ）の中空三角柱２Ｂ、図８（ｂ）の中空四角柱２Ｃ、図８（ｃ）の中空五角柱２Ｄ、図８（ｄ）の中空六角柱２Ｅおよび図示していない中空七角柱以上の中空多角柱のいずれかで構成されている。これによれば、足温装置として、建物の室内や自動車の車室内における助手席や後部座席での使用が可能でありながら、ユーザの多様な形状のニーズに対応することができる。
【００２８】
前記中空円柱２Ａの袋体２は、足のサイズに応じて設定した投影平面上の面積を備えるものからなる。なお、投影平面状の面積とは、本実施形態においては中空円柱２Ａの袋体２を立てて載置した時の平面形状の面積であり、円形の頂部２ｃまたは円形の底部２ｄの面積である。これによれば、足のサイズに応じた直径（図１の符号Ｄ参照）の中空円柱２Ａの袋体２でバランスよく両足６を包み込むことが可能となる。ここで、足のサイズに応じた直径とは、袋体２が中空正円柱の場合、想定する足のサイズの１．３倍より短い直径であり、前記足のサイズに応じた直径から前記足のサイズに応じて設定した投影平面上の面積が求められる。なお、想定する足のサイズの１．３倍以上の直径の場合には、足を包み込む形状にはなるが、優れたフィット性は発揮しないので、足を上げたときにはクッション１が自重により抜脱してしまう。また、袋体２が中空三角柱および中空四角柱以上の中空多角柱の場合には、袋体２が中空正円柱の場合の足のサイズに応じて設定した投影平面上の面積を、それぞれの投影平面上の面積に当てはめればよい。
【００２９】
本考案に係るクッション１の袋体２は、その高さ（図１の符号Ｈ参照）が６０ｍｍ〜４６０ｍｍの範囲内に設定されている。これによると、両足６をくるぶし辺り６ｄまで優れたフィット性で包み込んだ状態に変形して、両足６からの抜脱を防止することが可能となり、優れた足温効果を発揮することができる。また、両足６の差し込みに同期してなされる、足を上げる動作がスムーズに行えるので、両足６へのクッション１の装着が容易となる。袋体２の高さが６０ｍｍ未満であると、包み込まれる部位がつま先６ａ辺りに制限されるので足温効果が低い。高さが４６０ｍｍを超えると、両足６の差し込みに動作に同期してなされる足を上げる動作が窮屈となり、両足６へのクッションの装着が困難となる。
【００３０】
本考案のクッション１は、前記足温装置以外に、足置き、背あて、腰あて、枕などとして使用することもできる。
【００３１】
本考案に係るクッション１は、その趣旨および技術思想を逸脱しない範囲であれば、構造変形が可能である。
【産業上の利用可能性】
【００３２】
本考案のクッションは、足温装置として建物の室内や自動車の車室内における助手席や後部座席で使用するのに有用である。
【符号の説明】
【００３３】
１  クッション
２  袋体
２Ａ  中空円柱（袋体）
２Ｂ  中空正三角柱（袋体）
２Ｃ  中空正四角柱（袋体）
２Ｄ  中空正五角柱（袋体）
２Ｅ  中空正六角柱（袋体）
２ｃ  袋体の頂部
２ｄ  袋体の底部
３  発泡樹脂ビーズ
６  両足（足）
【図１】
0003212201.tif 000003
【図２】
0003212201.tif 000004
【図３】
0003212201.tif 000005
【図４】
0003212201.tif 000006
【図５】
0003212201.tif 000007
【図６】
0003212201.tif 000008
【図７】
0003212201.tif 000009
【図８】
0003212201.tif 000010